(57)【要約】【課題】天井に固着されている高さの違うシ−リングロ−ゼットにアダプタ−本体を掛止させ、前記アダプタ−本体に照明器具本体を取り付けた時、前記アダプタ−本体の係止爪の色により正常な位置に取り付けられていることが確認できる天井直付け照明器具取付装置を提供する。【解決の手段】アダプタ本体１に照明器具本体９と着脱自在に係合する２段から成る一対の係止爪２を出没自在に設け、前記アダプタ−本体１に設けてある２段から成る係止爪２の１段目部材２ａと２段目部材２ｂを色違いにネジ等により構設させ、且つ、２段目部材２ｂの係止段部は１段目部材２ａの係止段部より幅を狭くすることで１段目部材２ａに係止した状態時の視認性を向上させた天井直付け照明器具取付装置。【選択図】図１
2008117740.tif 000002
【特許請求の範囲】
【請求項１】
天井に固着されているシ−リングロ−ゼットに装着可能なアダプター本体に、照明器具本体と着脱自在に係合する一対の上下２段から成る係止部材を出没自在に設けると共に、前記係止部材の１段目部材と２段目部材を色違いに構設させ、埋込型及び露出型シ−リングロ−ゼットにアダプタ−本体を掛止させ、前記アダプタ−本体に照明器具を取り付けた時、アダプタ−本体に設けてある一対の上下２段から成る係止爪の色によって照明器具本体が正常な取り付け状態になっていることが確認できる天井直付け照明器具取付装置。
【発明の詳細な説明】
【技術分野】
【０００１】本発明は、天井面に装着されたシーリングローゼットに着脱自在に取付けられて、照明器具本体を支持する天井直付け照明器具取付装置に関する。
【背景技術】
【０００２】天井に固着されたシーリングローゼットに着脱可能に取付けられるアダプタ−本体に、照明器具本体と着脱自在に係合する一対の２段から成る係止爪をアダプタ−本体の両側面に出没自在に設け、前記アダプタ−本体の下面に係止爪と連動した解除レバ−を設けた天井直付け照明器具取付装置は特開２０００−３０５２３号公報として提案している。
しかし、このものは２段から成る係止爪を一体成形から成る構造の為、１段目と２段目の部材の色分けは不可能であった。
【発明の開示】
【発明が解決しようとする課題】
【０００３】この発明は、アダプタ−本体に設けてある２段から成る一対の係止爪の１段目部材と２段目部材を色違いに構設させることで、天井に固着されている埋込型及び露出型の高さの違うシ−リングロ−ゼットにアダプタ−本体を掛止させて照明器具本体を取り付けた時、前記アダプタ−本体の係止爪の色により正常な位置に取り付けられていることが確認できる天井直付け照明器具取付装置を提供する。
【課題を解決するための手段】
【０００４】本発明のアダプタ−本体に設けてある２段から成る係止爪の１段目部材と２段目部材を色違いに個々の部材で構成し、前記２部材をネジ等により構設させた構造にすることで、２段目部材の係止段部は視認性向上の目的で１段目の係止段部より幅を狭くした構造としている。
【発明の効果】
【０００５】本発明のアダプタ−本体に設けてある２段から成る係止爪の１段目部材と２段目部材を色の違う個々の部材に構設させ、１段目部材と２段目部材を色違いにすることで、天井に固着されているシ−リングロ−ゼットが埋込型の場合、照明器具本体はアダプタ−本体に設けてある着色剤により着色された係止爪の１段目部材に係止される。また、露出型のシ−リングロ−ゼットの場合、前記１段目部材と違う色の着色剤にて着色された係止爪の２段目部材に係止される。
上記より、埋込型及び露出型の高さの違うシ−リングロ−ゼットにアダプタ−本体を掛止させて照明器具本体を取り付けた場合、前記アダプタ−本体に設けてある係止段部が係止されうる係止部材の色により照明器具本体が正常な位置に取り付けられているかを確認できるという効果がある。【０００６】また、天井に固着さているシ−リングロ−ゼットに掛止されているアダプタ−本体の係止爪に照明器具本体を係止させたとき、片方側に１段目、もう片方側に２段目と段違いに係止させた場合、互いに係止されている係止爪の色が違う為、使用者への注意及び警告を促すという効果がある。
【発明を実施するための最良の形態】
【０００７】以下、本発明の実施の形態を図面を参照して説明する。
図１は、アダプタ−本体１を下方向から見た斜視図である。アダプタ−本体１には、天井１０に固着されている図示しないシ−リングロ−ゼットの栓刃挿入口に引っ掛ける一対の栓刃３ならびに照明器具本体９と着脱自在に係止する２段から成る一対の係止爪２が出没自在に設けてあり、前記アダプタ−本体１の下面には２段から成る係止爪２と連動した解除レバ−４が突出して設けてある。【０００８】また、アダプタ−本体１の下面部から引き出されている接続コ−ド５の末端に具備する電源コネクタ−６と照明器具本体９から配線されている図示しない電源コネクタ−とを接離自在に接続を可能としている。【０００９】図２は、アダプタ−本体１に設けてある２段から成る一対の係止爪２の拡大斜視図である。アダプタ−本体１に設けてある２段から成る係止爪２の１段目部材２ａと２段目部材２ｂを個々の部材とし、前記２部材を図示しないネジ等により互いに構設させている。また、１段目部材２ａと２段目部材２ｂは着色剤により明らかに見分けのつく色違いにし、２段目部材２ｂの係止段部は１段目部材２ａの係止段部幅より狭くしている。【００１０】図３及び図４は、天井１０に固着されている埋込型シ−リングロ−ゼット７にアダプタ−本体１を掛止させて照明器具本体９を取り付けた側面図及び斜視図である。埋込型シ−リングロ−ゼット７の高さは１１ｍｍであり照明器具本体９をアダプタ−本体１に設けてある係止爪２へ係止させた場合、１段目部材２ａの係止段部に係止される。すなわち、一対の係止爪２が指定された色で係止されることになる。【００１１】図５及び図６は、天井１０に固着されている露出型シ−リングロ−ゼット８にアダプタ−本体１を掛止させ、前記アダプタ−本体１に設けてある２段から成る係止爪２に照明器具本体９を取り付けた側面図及び斜視図である。露出型シ−リングロ−ゼット８の高さは２２ｍｍであり照明器具本体９をアダプタ−本体１に設けてある係止爪２へ係止させた場合、２段目部材２ｂの係止段部に係止され一対の係止爪２が指定された色で係止される。尚、２段目部材２ｂの係止段部の幅を１段目部材２ａの係止段部より狭くすることで下方向から見た場合の視認性向上手段である。【００１２】図７は、天井１０に固着されている露出型シ−リングロ−ゼット８にアダプタ−本体１を掛止させ、前記アダプタ−本体１に設けてある２段から成る係止爪２に照明器具本体９を段違いに取り付けた側面図である。不測により使用者が照明器具本体９を図７に示す状態の如く、一対の係止爪２の片方側へ１段目部材２ａ、もう片方側へ２段目部材２ｂに前記照明器具本体９を取り付けた場合、互いに係止されている係止爪２の色は違って取り付けられることになる。【００１３】以上により、天井１０に固着されている埋込型及び露出型の高さの違うシ−リングロ−ゼットにアダプタ−本体１を掛止させて照明器具本体９を取り付けた場合、正常な取付状態における係止爪２の色を指定することで使用者に正常な取り付け状態が確認できると共に、不測により照明器具本体９を段違いに取り付けた場合、互いに係止されている係止爪２の色が互いに違って取り付くことで使用者への注意及び警告を促すことが可能となる。
【図面の簡単な説明】
【００１４】
【図１】アダプタ−本体の斜視図
【図２】アダプタ−本体に設けてある係止爪の拡大斜視図
【図３】埋込型シ−リングロ−ゼットに嵌合されているアダプタ−本体に照明器具本体を取り付けた時の側面図。
【図４】埋込型シ−リングロ−ゼットに嵌合されているアダプタ−本体に照明器具本体を取り付けた時の下方向から見た斜面図。
【図５】露出型シ−リングロ−ゼットに嵌合されているアダプタ−本体に照明器具本体を取り付けた時の側面図。
【図６】露出型シ−リングロ−ゼットに嵌合されているアダプタ−本体に照明器具本体を取り付けた時の下方向から見た斜視図。
【図７】露出型シ−リングロ−ゼットに嵌合されているアダプタ−本体に照明器具本体を段違いに取り付けた側面図。
【符号の説明】
【００１５】  １    アダプタ−本体
２    係止爪
２ａ  １段目部材
２ｂ  ２段目部材
３    栓刃
４    解除レバ−
５    接続コ−ド
６    電源コネクタ−
７    埋込型シ−リングロ−ゼット
８    露出型シ−リングロ−ゼット
９    照明器具本体
１０    天井
【図１】
2008117740.tif 000003
【図２】
2008117740.tif 000004
【図３】
2008117740.tif 000005
【図４】
2008117740.tif 000006
【図５】
2008117740.tif 000007
【図６】
2008117740.tif 000008
【図７】
2008117740.tif 000009